(57)【特許請求の範囲】
【請求項１】
ウェアラブル装置であって、
（ａ）ハウジングと、
（ｂ）少なくとも１つのセンサが生物学的又は生理学的入力を検知するように構成された、前記ハウジングに結合された１又は２以上のセンサと、
（ｃ）１又は２以上の通信インターフェイスと、
（ｄ）プロセッサと、
（ｅ）非一時的媒体に記憶された、前記プロセッサによる読み出し及び実行が可能なプログラムと、
を備え、前記プログラムは、
（ｉ）前記１又は２以上のセンサを介して第１のユーザの生物学的又は生理学的入力を検知するステップと、
（ｉｉ）前記ウェアラブル装置に近接する第２のユーザによって着用された第２のウェアラブル装置を識別するステップと、
（ｉｉｉ）前記１又は２以上の通信インターフェイスを介して前記第２のウェアラブル装置とデータを交換するステップと、
（ｉｖ）前記第１のユーザが前記ウェアラブル装置を着用してないことに応じて、着用してないことの通知信号を生成し、前記第２のウェアラブル装置に通知するステップと、
を実行する、
ことを特徴とするウェアラブル装置。
【請求項２】
前記データは、前記第１のユーザの前記生物学的又は生理学的入力に関するデータを含む、
請求項１に記載のウェアラブル装置。
【請求項３】
前記データは、前記第２のユーザの生物学的又は生理学的入力に関するデータを含む、請求項１に記載のウェアラブル装置。
【請求項４】
前記データは、前記第１のユーザと前記第２のユーザとの近接性に関する近接性データを含む、
請求項１に記載のウェアラブル装置。
【請求項５】
前記近接性データは、前記第１又は第２のユーザから収集できるように記憶される、
請求項４に記載のウェアラブル装置。
【請求項６】
前記プログラムは、
前記第１のユーザに対する前記第２のユーザの近接性についての出力信号を前記第１のユーザに送信するようにさらに構成され、
前記出力信号は、振動、可聴音又は可視発光のうちの１つ又は２つ以上である、
請求項４に記載のウェアラブル装置。
【請求項７】
前記生物学的又は生理学的入力は、前記第１のユーザの心拍数、体温又は血圧のうちの１つ又は２つ以上に関する信号を含む、
請求項２に記載のウェアラブル装置。
【請求項８】
第１のユーザと第２のユーザとの間の通信のためのシステムであって、
（Ａ）第１のウェアラブル装置及び第２のウェアラブル装置を備え、該第１及び第２のウェアラブル装置の各々は、
（ｉ）ハウジングと、
（ｉｉ）少なくとも１つのセンサが生物学的又は生理学的入力を検知するように構成された、前記ハウジングに結合された１又は２以上のセンサと、
（ｉｉｉ）１又は２以上の通信インターフェイスと、
（ｉｖ）プロセッサと、
（ｖ）非一時的媒体に記憶された、前記プロセッサによる読み出し及び実行が可能なプログラムと、
を含み、前記プログラムは、
（ａ）前記第１のウェアラブル装置の前記１又は２以上のセンサを介して第１のユーザの生物学的又は生理学的入力を検知するステップと、
（ｂ）前記第１のウェアラブル装置に近接する第２のユーザによって着用された前記第２のウェアラブル装置を識別するステップと、
（ｃ）前記第１のウェアラブル装置と前記第２のウェアラブル装置との間でデータを交換するステップと、
（ｄ）前記第１のウェアラブル装置において、前記第１のユーザが前記第１のウェアラブル装置を着用してないことに応じて、着用してないことの通知信号を生成し、前記第２のウェアラブル装置に通知するステップ、又は、前記第２のウェアラブル装置において、前記第２のユーザが前記第２のウェアラブル装置を着用してないことに応じて、着用してないことの通知信号を生成し、前記第１のウェアラブル装置に通知するステップと、
を実行する、
ことを特徴とするシステム。
【請求項９】
前記データは、前記第１のユーザの前記生物学的又は生理学的入力に関するデータを含む、
請求項８に記載のシステム。
【請求項１０】
前記データは、前記第２のユーザの生物学的又は生理学的入力に関するデータを含む、請求項８に記載のシステム。
【請求項１１】
前記データは、前記第１のユーザと前記第２のユーザとの近接性に関する近接性データを含む、
請求項８に記載のシステム。
【請求項１２】
前記近接性データは、前記第１又は第２のユーザについて収集できるように記憶される、
請求項１１に記載のシステム。
【請求項１３】
前記プログラムは、
前記第１のユーザに対する前記第２のユーザの近接性についての出力信号を前記第１のウェアラブル装置から前記第１のユーザに送信するようにさらに構成され、
前記出力信号は、振動、可聴音又は可視発光のうちの１つ又は２つ以上である、
請求項１１に記載のシステム。
【請求項１４】
前記生物学的又は生理学的入力は、前記第１のユーザの心拍数、体温又は血圧のうちの１つ又は２つ以上に関する信号を含む、
請求項９に記載のシステム。
【請求項１５】
第１のウェアラブル装置を着用する第１のユーザと、第２のウェアラブル装置を使用する第２のユーザとの間の通信方法であって、
前記第１のウェアラブル装置に結合された１又は２以上のセンサを介して前記第１のユーザの生物学的又は生理学的入力を検知するステップと、
前記第１のウェアラブル装置に近接する前記第２のユーザによって着用された前記第２のウェアラブル装置を識別するステップと、
前記第１のウェアラブル装置の１又は２以上の通信インターフェイスを介して前記第２のウェアラブル装置とデータを交換するステップと、
前記第１のユーザが前記第１のウェアラブル装置を着用してないことに応じて、着用してないことの通知信号を生成し、前記第２のウェアラブル装置に通知するステップと、
を含むことを特徴とする方法。
【請求項１６】
前記データは、前記第１のユーザ又は前記第２のユーザの生物学的又は生理学的入力に関するデータを含む、
請求項１５に記載の方法。
【請求項１７】
前記データは、前記第１のユーザと前記第２のユーザとの近接性に関する近接性データを含む、
請求項１６に記載の方法。
【請求項１８】
前記近接性データは、前記第１又は第２のユーザから収集できるように記憶される、
請求項１７に記載の方法。
【請求項１９】
前記第１のユーザに対する前記第２のユーザの近接性についての出力信号を前記第１のユーザに送信するステップをさらに含み、
前記出力信号は、振動、可聴音又は可視発光のうちの１つ又は２つ以上である、
請求項１７に記載の方法。
【請求項２０】
前記生物学的又は生理学的入力は、前記第１のユーザの心拍数、体温又は血圧のうちの１つ又は２つ以上に関する信号を含む、
請求項１６に記載の方法。
【請求項２１】
ウェアラブル装置であって、
（ａ）前記ウェアラブル装置の構成要素を収容するハウジングと、
（ｂ）少なくとも１つのセンサが生物学的又は生理学的入力を検知するように構成された１又は２以上のセンサと、
（ｃ）１又は２以上の通信インターフェイスと、
（ｄ）プロセッサと、
（ｅ）非一時的媒体に記憶された、前記プロセッサによる読み出し及び実行が可能なプログラムと、
を備え、前記プログラムは、
（ｉ）前記ウェアラブル装置に近接する１又は２以上の装置であって、前記ウェアラブル装置のユーザ以外のユーザが着用しいている第２のウェアラブル装置を少なくとも含む１又は２以上の装置を検知するステップと、
（ｉｉ）前記１又は２以上の装置と通信するステップと、
（ｉｉｉ）前記ウェアラブル装置又は前記１又は２以上の装置に関連するデータに関する１又は２以上の許可を取得するステップと、
（ｉｖ）前記ウェアラブル装置のユーザが前記ウェアラブル装置を着用してないことに応じて、着用してないことの通知信号を生成し、前記第２のウェアラブル装置に通知するステップと、
を実行する、
ことを特徴とするウェアラブル装置。
【請求項２２】
前記データは、前記１又は２以上の装置に関連するアプリケーションプログラムを含む、
請求項２１に記載のウェアラブル装置。
【請求項２３】
前記プログラムは、前記アプリケーションプログラムを遠隔サーバから前記１又は２以上の装置にダウンロードするようにさらに構成される、
請求項２２に記載のウェアラブル装置。
【請求項２４】
前記アプリケーションプログラムは、加入サービスを含む、
請求項２２に記載のウェアラブル装置。
【請求項２５】
前記アプリケーションプログラムは、ゲームソフトウェア又はその構成要素を含む、
請求項２２に記載のウェアラブル装置。
【請求項２６】
前記プロセッサに結合された１又は２以上の環境センサをさらに備え、
前記１又は２以上の環境センサは、前記ウェアラブル装置のユーザに関連する生理学的又は生物学的特徴を検知するように構成される、
請求項２１に記載のウェアラブル装置。
【請求項２７】
前記１又は２以上の許可を取得するステップは、前記ユーザの所定の生理学的又は生物学的特徴を検知する前記１又は２以上の環境センサの機能である、
請求項２６に記載のウェアラブル装置。
【請求項２８】
ウェアラブル装置であって、
（ａ）ウェアラブルスマート装置の構成要素を収容するハウジングと、
（ｂ）少なくとも１つのセンサが生物学的又は生理学的入力を検知するように構成された１又は２以上のセンサと、
（ｃ）１又は２以上の通信インターフェイスと、
（ｄ）プロセッサと、
（ｅ）非一時的媒体に記憶された、前記プロセッサによる読み出し及び実行が可能なプログラムと、
を備え、前記プログラムは、
（ｉ）前記ウェアラブル装置に近接する１又は２以上の装置であって、前記ウェアラブル装置のユーザ以外のユーザが着用しいている第２のウェアラブル装置を少なくとも含む１又は２以上の装置を検知するステップと、
（ｉｉ）前記１又は２以上の装置と通信するステップと、
（ｉｉｉ）前記ウェアラブル装置又は前記１又は２以上の装置に関連するデータを取得するステップと、
（ｉｖ）前記ウェアラブル装置のユーザが前記ウェアラブル装置を着用してないことに応じて、着用してないことの通知信号を生成し、前記第２のウェアラブル装置に通知するステップと、
を実行する、
ことを特徴とするウェアラブル装置。
【請求項２９】
前記データを取得するステップは、前記ウェアラブル装置又は前記１又は２以上の装置に関連するデータに関する１又は２以上の許可を取得するステップを含む、
請求項２８に記載のウェアラブル装置。
【請求項３０】
前記データは、前記１又は２以上の装置に関連するアプリケーションプログラムを含む、
請求項２８に記載のウェアラブル装置。
【請求項３１】
前記プログラムは、前記プログラムを遠隔サーバから前記１又は２以上の装置にダウンロードするようにさらに構成される、
請求項３０に記載のウェアラブル装置。
【請求項３２】
前記アプリケーションプログラムは、加入サービスを含む、
請求項３０に記載のウェアラブル装置。
【請求項３３】
前記アプリケーションプログラムは、ゲームソフトウェア又はその構成要素を含む、
請求項３０に記載のウェアラブル装置。
【請求項３４】
前記プロセッサに結合された１又は２以上の環境センサをさらに備え、
前記１又は２以上の環境センサは、前記ウェアラブル装置のユーザに関連する生理学的又は生物学的特徴を検知するように構成される、
請求項２９に記載のウェアラブル装置。
【請求項３５】
前記１又は２以上の許可を取得するステップは、前記ユーザの所定の生理学的又は生物学的特徴を検知する前記１又は２以上の環境センサの機能である、
請求項３４に記載のウェアラブル装置。
【請求項３６】
ウェアラブル装置と非ウェアラブル装置との間の近接性ベースの交換のためのシステムであって、
（ａ）プロセッサと、
（ｂ）非一時的媒体に記憶された、前記プロセッサによる読み出し及び実行が可能なプログラムと、
を備え、前記プログラムは、
（ｉ）前記ウェアラブル装置に近接する非ウェアラブル装置及び前記ウェアラブル装置のユーザ以外のユーザが着用しいている前記第２のウェアラブル装置を検知するステップと、
（ｉｉ）前記非ウェアラブル装置及び前記第２のウェアラブル装置と前記ウェアラブル装置との間で通信するステップと、
（ｉｉｉ）前記ウェアラブル装置、前記第２のウェアラブル装置又は前記非ウェアラブル装置に関連するデータに関する１又は２以上の許可を取得するステップと、
（ｉｖ）前記ウェアラブル装置のユーザが前記ウェアラブル装置を着用してないことに応じて、着用してないことの通知信号を生成し、前記第２のウェアラブル装置に通知するステップと、
を実行する、
ことを特徴とするシステム。
【請求項３７】
前記データは、前記１又は２以上の装置に関連するアプリケーションプログラムを含み、前記プログラムは、前記プログラムを遠隔サーバから前記１又は２以上の装置にダウンロードするようにさらに構成される、
請求項３６に記載のシステム。
【請求項３８】
前記プログラムは、加入サービス、ゲームソフトウェア、又はその構成要素を含む、
請求項３７に記載のシステム。
【請求項３９】
前記プロセッサに結合された１又は２以上の環境センサをさらに備え、
前記１又は２以上の環境センサは、前記ウェアラブル装置のユーザに関連する生理学的又は生物学的特徴を検知するように構成される、
請求項３６に記載のシステム。
【請求項４０】
前記１又は２以上の許可を取得するステップは、前記ユーザの所定の生理学的又は生物学的特徴を検知する前記１又は２以上の環境センサの機能である、
請求項３９に記載のシステム。
【請求項４１】
スマートウェアラブル装置であって、
（ａ）ウェアラブルスマート装置の構成要素を収容するハウジングと、
（ｂ）少なくとも１つのセンサが生物学的入力を取得するように構成された生物学的センサである１又は２以上のセンサと、
（ｃ）１又は２以上の出力装置と、
（ｄ）メモリと、
（ｅ）１又は２以上の通信インターフェイスと、
（ｆ）プロセッサと、
（ｇ）非一時的コンピュータ可読媒体に常駐する、前記コンピュータプロセッサによって実行可能なプログラムと、
を備え、前記プログラムは、
（ｉ）ユーザのアイデンティティを認証し、
（ｉｉ）前記スマートウェアラブル装置の前記１又は２以上の通信インターフェイスの範囲内に存在する非ウェアラブル装置及び前記ウェアラブル装置のユーザ以外のユーザが着用しいている前記第２のウェアラブル装置を検出し、
（ｉｉｉ）前記認証されたユーザが前記非ウェアラブル装置と共に使用するサービスへのアクセス権を有していることを検証し、
（ｉｖ）前記アクセス権が検証された場合、前記サービスへのアクセスを許可し、
（ｖ）前記ユーザが前記スマートウェアラブル装置を着用してないことに応じて、着用してないことの通知信号を生成し、前記第２のウェアラブル装置に通知する、
ように構成される、
ことを特徴とする装置。
【請求項４２】
前記プログラムは、前記認証されたユーザのサービスへのアクセス権が検証された時に該ユーザに通知するようにさらに構成され、前記通知は、前記スマートウェアラブル装置の前記出力装置を通じて行われる、
請求項４１に記載の装置。
【請求項４３】
前記プログラムは、前記スマートウェアラブル装置が前記非ウェアラブル装置との通信範囲外に存在する時に前記ユーザに通知するようにさらに構成され、前記通知は、前記スマートウェアラブル装置の前記出力装置を通じて行われる、
請求項４１に記載の装置。
【請求項４４】
前記ユーザの前記アイデンティティは、生体認証データを用いて認証される、
請求項４１に記載の装置。
【請求項４５】
前記１又は２以上の通信インターフェイスは、有線通信インターフェイス、無線通信インターフェイス、セルラー通信インターフェイス、ＷｉＦｉ通信インターフェイス、近距離通信インターフェイス、赤外線通信インターフェイス、ＺｉｇＢｅｅ通信インターフェイス、Ｚ−Ｗａｖｅ通信インターフェイス及びＢｌｕｅｔｏｏｔｈ通信インターフェイスから成る群から選択される、
請求項４１に記載の装置。
【請求項４６】
前記サービスへの前記アクセス権は、前記スマートウェアラブル装置内のトークンの形で前記ユーザに提供され、前記トークンは、現在のアクセス権又はアクセス権の満了を示す、
請求項４１に記載の装置。
【請求項４７】
前記サービスへの前記アクセス権は、複数のスマートウェアラブル装置の形で前記ユーザに提供される、
請求項４１に記載の装置。
【請求項４８】
前記スマートウェアラブル装置は、手着用型装置、指着用型装置、手首着用型装置、頭部着用型装置、腕着用型装置、脚着用型装置、足首着用型装置、足着用型装置、つま先着用型装置、腕時計、眼鏡、指輪、ブレスレット、ネックレス、宝飾品、衣類、靴、帽子、コンタクトレンズ及び手袋から成る群から選択されたプラットフォームを有する、
請求項４１に記載の装置。
【請求項４９】
スマートウェアラブル装置のユーザ認証及び非ウェアラブル装置の範囲通知のためのコンピュータ実装方法であって、
（ａ）
（ｉ）ウェアラブルスマート装置の構成要素を収容するハウジングと、
（ｉｉ）少なくとも１つのセンサが生物学的入力を取得するように構成された生物学的センサである１又は２以上のセンサと、
（ｉｉｉ）１又は２以上の出力装置と、
（ｉｖ）メモリと、
（ｖ）１又は２以上の通信インターフェイスと、
（ｖｉ）プロセッサと、
を備えたスマートウェアラブル装置を準備するステップと、
（ｂ）ユーザのアイデンティティを認証するステップと、
（ｃ）前記スマートウェアラブル装置の前記１又は２以上の通信インターフェイスの範囲内に存在する非ウェアラブル装置及び前記ウェアラブル装置のユーザ以外のユーザが着用しいている前記第２のウェアラブル装置を検出するステップと、
（ｄ）前記認証されたユーザが前記非ウェアラブル装置と共に使用するサービスへのアクセス権を有していることを検証するステップと、
（ｅ）前記アクセス権が検証された場合、前記サービスへのアクセスを許可するステップと、
（ｆ）前記ユーザが前記スマートウェアラブル装置を着用してないことに応じて、着用してないことの通知信号を生成し、前記第２のウェアラブル装置に通知するステップと、
を含み、
（ｇ）前記方法は、少なくとも１つのコンピュータプロセッサ上でプログラムを実行することによって行われ、前記プログラムは、前記コンピュータプロセッサによって読み込むことができる非一時的媒体上に常駐する、
ことを特徴とする方法。
【請求項５０】
前記スマートウェアラブル装置が前記非ウェアラブル装置との通信範囲外に存在する時に前記ユーザに通知するステップをさらに含み、前記通知は、前記スマートウェアラブル装置の前記出力装置を通じて行われる、
請求項４９に記載の方法。
【請求項５１】
前記ユーザの前記アイデンティティは、生体認証データを用いて認証される、
請求項４９に記載の方法。
【請求項５２】
前記１又は２以上の通信インターフェイスは、有線通信インターフェイス、無線通信インターフェイス、セルラー通信インターフェイス、ＷｉＦｉ通信インターフェイス、近距離通信インターフェイス、赤外線通信インターフェイス、ＺｉｇＢｅｅ通信インターフェイス、Ｚ−Ｗａｖｅ通信インターフェイス及びＢｌｕｅｔｏｏｔｈ通信インターフェイスから成る群から選択される、
請求項４９に記載の方法。
【請求項５３】
前記サービスへの前記アクセス権は、前記スマートウェアラブル装置内のトークンの形で前記ユーザに提供される、
請求項４９に記載の方法。
【請求項５４】
前記サービスへの前記アクセス権は、複数のスマートウェアラブル装置の形で前記ユーザに提供される、
請求項４９に記載の方法。
【請求項５５】
前記スマートウェアラブル装置は、手着用型装置、指着用型装置、手首着用型装置、頭部着用型装置、腕着用型装置、脚着用型装置、足首着用型装置、足着用型装置、つま先着用型装置、腕時計、眼鏡、指輪、ブレスレット、ネックレス、宝飾品、衣類、靴、帽子、コンタクトレンズ及び手袋から成る群から選択されたプラットフォームを有する、
請求項４９に記載の方法。
【請求項５６】
前記認証されたユーザのサービスへのアクセス権が検証された時に該ユーザに通知するステップをさらに含み、前記通知は、前記スマートウェアラブル装置の前記出力装置を通じて行われる、
請求項４９に記載の方法。
【請求項５７】
スマートウェアラブル装置のユーザを認証し、非ウェアラブル装置と共に使用するサービスへのアクセス権を検証するシステムであって、
（ａ）非ウェアラブル装置と、
（ｂ）スマートウェアラブル装置と、
を備え、前記スマートウェアラブル装置は、
（ｉ）ウェアラブルスマート装置の構成要素を収容するハウジングと、
（ｉｉ）少なくとも１つのセンサが生物学的入力を取得するように構成された生物学的センサである１又は２以上のセンサと、
（ｉｉｉ）１又は２以上の出力装置と、
（ｉｖ）メモリと、
（ｖ）１又は２以上の通信インターフェイスと、
（ｖｉ）プロセッサと、
（ｖｉｉ）非一時的コンピュータ可読媒体に常駐する、前記コンピュータプロセッサによって実行可能なプログラムと、
を含み、前記プログラムは、
ユーザのアイデンティティを認証し、
前記スマートウェアラブル装置の前記１又は２以上の通信インターフェイスの範囲内に存在する非ウェアラブル装置及び前記ウェアラブル装置のユーザ以外のユーザが着用しいている前記第２のウェアラブル装置を検出し、
前記認証されたユーザが前記非ウェアラブル装置を用いたサービスへのアクセス権を有していることを検証し、
前記アクセス権が検証された場合、前記サービスへのアクセスを許可し、
前記ユーザが前記スマートウェアラブル装置を着用してないことに応じて、着用してないことの通知信号を生成し、前記第２のウェアラブル装置に通知する、
ように構成される、
ことを特徴とするシステム。
【請求項５８】
前記プログラムは、前記スマートウェアラブル装置が前記非ウェアラブル装置との通信範囲外に存在する時に前記ユーザに通知するようにさらに構成され、前記通知は、前記スマートウェアラブル装置の前記出力装置を通じて行われる、
請求項５７に記載のシステム。
【請求項５９】
前記プログラムは、前記認証されたユーザのサービスへのアクセス権が検証された時に該ユーザに通知するようにさらに構成され、前記通知は、前記スマートウェアラブル装置の前記出力装置を通じて行われる、
請求項５７に記載のシステム。
【請求項６０】
前記サービスへの前記アクセス権は、前記スマートウェアラブル装置内のトークンの形で前記ユーザに提供され、前記トークンは、現在のアクセス権又はアクセス権の満了を示す、
請求項５７に記載のシステム。
【発明の詳細な説明】
【技術分野】
【０００１】
〔関連出願との相互参照〕
本出願は、２０１４年２月２４日に出願された米国仮特許出願第６１／９４３，８３７号に対する優先権及びその利益を主張するものであり、この仮特許出願はその全体が引用により本明細書に組み入れられる。
【０００２】
〔コンピュータプログラムによる添付物の引用による組み入れ〕
適用なし
【０００３】
〔著作権保護を受ける資料の通知〕
本特許文書中の資料の一部は、米国及びその他の国の著作権法の下で著作権保護を受ける。著作権の権利所有者は、米国特許商標庁の一般公開ファイル又は記録内に表されるとおりに第三者が特許文献又は特許開示を複製することには異議を唱えないが、それ以外は全ての著作権を留保する。著作権所有者は、限定するわけではないが、米国特許法施行規則§１．１４に従う権利を含め、本特許文献を秘密裏に保持しておくあらゆる権利を本明細書によって放棄するものではない。
【０００４】
本技術は、一般にスマートウェアラブル装置に関する。
【背景技術】
【０００５】
多くの場合、恋愛関係にある人々は、互いにもっと独占的に触れ合い、恐らくは自分たちの関係に関連するデータを互いに受け取り、一般に一体感を得たいと望んでいる。過去には、カップルが洋服やアクセサリーなどを合わせることなどのように自分たちの一体感を表す外見的な物品を使用していたが、これらのアイテムは、身に着けていない限りその関係に何らの追加情報も加えない。
【０００６】
歴史的に、ユーザが自身の既存の一連の装置の現在のサービス又はコンテンツアクセスを強化又は拡張するためにこれらの装置の時間制限付きの拡張を取得することに対する消費者需要が存在する。これらの例として、音楽又はＴＶ番組への加入アクセス、ゲーム内の新たなレベルへのアクセス、時間制限のある新たなアバターへのアクセス、又はゲーム内の新たなキャラクタへのアクセスを挙げることができる。これらの取得は、従来、アプリケーションの購入、時間制限のあるセキュアなＤＲＭ、及びそのコンテンツの権利が満了した後の機能の遠隔除去を通じて行われていた。
【発明の概要】
【発明が解決しようとする課題】
【０００７】
通常、１つの装置が別の装置と通信するには、これらの装置が互いに一定範囲内に存在しなければならない。このことは、処理能力及び記憶などの問題に起因する。また、多くの装置は、サービス提供機能を実行するために何らかの認証も必要とする。従って、スマートウェアラブル装置の通信範囲に非ウェアラブル装置又はメディアレンダリング装置などの装置がいつ存在するかを自動的に検知し、特定のユーザがその装置上のサービスを使用するためのアクセス権を有していることを自動的に検証できるスマートウェアラブル装置を有することが望ましい。
【課題を解決するための手段】
【０００８】
本開示では、スマートウェアラブル装置間のコンパニオンデータ交換のためのシステム及び方法について説明する。
【０００９】
本技術の１つの態様は、２又は３以上のウェアラブル装置を含み、２又は３以上の着用者がウェアラブル装置を着用して、近接の頻度、互いに近接している時の心拍数、及び他のセンサが取得するくつろぎ感、至福感などを追跡することによって相対的親密度及び／又は関係の健全度をモニタして予測するシステム及び方法である。
【００１０】
本技術は、２又は３以上の着用者がウェアラブル装置を着用して、近接の頻度、互いに近接している時の心拍数、及び他のセンサが取得するくつろぎ感、至福感などを追跡することによって相対的親密度及び／又は関係の健全度をモニタして予測する２又は３以上のウェアラブル装置を提供する。
【００１１】
互いの近接時間、近接の頻度、互いに近接している時の心拍数、及び他のセンサが取得するくつろぎ感、至福感などの関係の様々な側面を追跡することによって１組の着用者の相対的関係の健全度をモニタして予測しようと試みるためにコンパニオンシップウェアラブル装置が着用される。その重要性、有用性及び貴重性は、ペアになった２人の着用者のみのためのものである。
【００１２】
別の態様は、近接性ベースの交換及び認証のためのスマートウェアラブル装置及び方法に関する。
【００１３】
本技術の１つの態様は、使い捨てウェアラブル装置が、非ウェアラブル装置との近接性を検知してその非ウェアラブル装置と許可をセキュアに交換することにより、限られた時間にわたって非ウェアラブル装置の機能を強化するシステム及び方法である。１つの実施形態では、ウェアラブル装置が、非ウェアラブル装置に提供された１又は２以上の生体信号、触覚フィードバックなどを検知することができる。ウェアラブル装置は使い捨てとすることができ、拡張機能のためのさらなる触覚フィードバック（例えば、ゲームフィードバックなど）を提供することもできる。
【００１４】
別の態様は、トップアップカードがモバイル／電子商取引の世界で機能する方法と同様の、サービスプロバイダ及びコンテンツプロバイダが使い捨てウェアラブル装置を提供するためのセキュアで簡単な手段を含む。本技術のシステム及び方法は、製品を消費した人物をセキュアに検証するのに役立つこともでき、身体に取り付けられたウェアラブル装置の使い捨ての性質によって容易にタイムアウトさせることができる。
【００１５】
本開示では、ユーザのアイデンティティを認証し、ユーザがテレビなどの非ウェアラブル装置と共に使用するサービスへのアクセス権を有していることを検証するスマートウェアラブル装置及び方法についても説明する。１つの実施形態では、スマートウェアラブル装置が、ユーザの心拍署名などの生体認証を用いてスマートウェアラブル装置のユーザのアイデンティティを認証することができる。
【００１６】
本明細書で説明する別の実施形態では、スマートウェアラブル装置が、非ウェアラブル装置の範囲外に出そうになった時にユーザに通知することができる。
【００１７】
別の実施形態では、スマートウェアラブル装置が、現在のアクセス権又はアクセス権の満了を示すトークンを用いてユーザのアクセス権の検証を行うことができる。或いは、ユーザが着用できるさらなるスマートウェアラブル装置を用いてアクセス権を与えることもできる。この装置は、例えば飾り付き腕輪に似たものとすることができ、この場合、各装置は、様々なサービスへのアクセス権を許可することができる「飾り」である。
【００１８】
本明細書の以下の部分では、本発明のさらなる態様を示すが、この詳細な説明は、本発明の好ましい実施形態に制限を課すことなく完全に開示することを目的とする。
【００１９】
本明細書で説明する技術は、例示のみを目的とする以下の図面を参照することによってさらに完全に理解されるであろう。
【図面の簡単な説明】
【００２０】
【図１】本明細書で説明するスマートウェアラブルネットワークの実施形態の概略図である。
【図２】本明細書で説明するスマートウェアラブル装置の実施形態の機能ブロック図である。
【図３】本明細書で説明するコンパニオンベースの交換のためのスマートウェアラブル装置及びシステムの実施形態の概略図である。
【図４】本明細書によるコンパニオンベースの交換のためのスマートウェアラブル装置の実施形態の概略要素図である。
【図５】本明細書で説明するウェアラブル装置を用いたコンパニオンベースの交換方法のフロー図である。
【図６】本明細書で説明する近接性ベースの交換のためのスマートウェアラブル装置及びシステムの実施形態の概略図である。
【図７】本明細書で説明するウェアラブル装置を用いた近接性ベースの交換方法のフロー図である。
【図８】本開示の実施形態による、ユーザがスマートウェアラブル装置の範囲内に存在する他の装置と共に使用するサービスにアクセスするのを認証してユーザに通知を提供するスマートウェアラブル装置を示す概略図である。
【図９】スマートウェアラブル装置が、ユーザがウェアラブル装置の範囲内の他の装置と共に使用するサービスにアクセスするのを認証してユーザに通知を提供する例示的な方法のフロー図である。
【発明を実施するための形態】
【００２１】
本開示は、一般に、例えば装置を着用するユーザの１又は２以上の生物学的又は生理的特徴に基づいて動作を実行できるウェアラブル装置に関する。ウェアラブル装置は、１又は２以上のセンサ、プロセッサ、及びプロセッサ上で実行可能なコードを用いて、以下に限定されるわけではないが、性別、体重、身長、体温、皮膚温、心拍数、呼吸数、血糖値、血糖グルコース値、ストレス／疲労、電気皮膚反応、摂取（タンパク質）、消化速度、新陳代謝率、血液化学、発汗、体幹及び皮膚温、バイタルサイン、眼の乾燥度、虫歯、歯周病、エネルギー貯蔵、カロリー燃焼率、精神的敏捷性、心調律、睡眠パターン、カフェイン含有量、ビタミン含有量、水分補給、血中酸素飽和度、血中コルチゾール値、血圧、コレステロール、乳酸値、体脂肪、たんぱく質値、ホルモン値、筋肉量、ｐＨなどの、着用者の身体的特徴を含む特徴を検知して処理するように構成することができる。このような条件は、以下に限定されるわけではないが、姿勢（例えば、うつ伏せ、直立）、動き、又は身体的状態（例えば、睡眠中、運動中）などを含むこともできる。
【００２２】
ウェアラブル装置は、以下に限定されるわけではないが、触覚出力装置（例えば、オフセットモータ、電気活性高分子、コンデンサ型電圧源、ペルティエ温度素子、収縮材料、点字アクチュエータ）、遠隔測定装置、視覚装置、可聴装置及びその他の出力装置を含む、１又は２以上の出力装置を含むことができる。
【００２３】
ウェアラブル装置は、着用者のことを学習して適合できるように人工知能を含むこともできる。装置は、誤った（例えば、偶発的な、意図しない）感覚入力と有効な感覚入力とを正確に区別することによって着用者の身体的状態又は特徴に関する正確な結論を示す（例えば、着用者の寝返りを運動と解釈しない）ように構成することができる。装置は、顔、ユーザ又はその他の画像認識のための１又は２以上のカメラ又はその他の視覚センサを含むこともできる。ウェアラブル装置は、着用者のデジタル健康履歴との間で情報の送信及び／又は情報の検索を行うように構成することもできる。
【００２４】
ウェアラブル装置は、装置の特定の特徴及び機能に従って、ユーザ、別のウェアラブル装置、非ウェアラブル装置、又はネットワークに情報を出力するように構成することもできる。
【００２５】
Ａ．一般的なシステムの実装
図１に、ネットワーク１０２を含む一般化したネットワークインフラストラクチャ（例えばシステム）１００を示す。例えば、このネットワークは、ローカルエリアネットワーク、又はインターネットなどのワイドエリアネットワークとすることができる。本明細書で説明する技術の実施形態による１又は２以上のスマートウェアラブル装置１０４−１〜１０４−ｎは、有線又は無線接続１０６を介してネットワーク１０２と通信することができる。スマートウェアラブル装置のうちの１つ又は２つ以上は、ネットワーク１０２を介して、或いは直接的な有線接続又は無線接続１０８を用いて別のスマートウェアラブル装置と通信することができる。
【００２６】
スマートウェアラブル装置１０４−１〜１０４−ｎのうちの１つ又は２つ以上は、１又は２以上の非ウェアラブル装置１１０−１〜１１０−ｎと通信することもできる。本開示の範囲に含まれない非ウェアラブル装置は、プロセッサ、関連するオペレーティングシステム及び通信インターフェイスを有するいずれかの従来の「スマート」装置とすることができる。非ウェアラブル装置の例としては、スマートフォン、タブレットコンピュータ、ラップトップコンピュータ、デスクトップコンピュータ及びセットトップボックスが挙げられる。非ウェアラブル装置は、いずれも有線又は無線接続を介して外部装置と通信できるタイプのものとすることができる。この場合、スマートウェアラブル装置のうちの１つ又は２つ以上は、直接的な有線接続又は無線接続１１２を用いて非ウェアラブル装置のうちの１つ又は２つ以上と通信することができる。さらに、非ウェアラブル装置のうちの１つ又は２つ以上は、標準的な有線又は無線接続１１４を介してネットワーク１０２と通信できるタイプのものとすることもできる。この場合、スマートウェアラブル装置のうちの１つ又は２つ以上は、ネットワーク１０２を介して非ウェアラブル装置のうちの１つ又は２つ以上と通信することができる。
【００２７】
クライアント−サーバ構成では、有線又は無線接続１１８を用いてネットワークに接続できる１又は２以上のサーバ１１６−１〜１１６−ｎを提供することができる。サーバは、独立型サーバ、クラスタサーバ、ネットワークサーバ、又は大型コンピュータのような機能にアレイ状に接続されたサーバを含むことができる。この場合、スマートウェアラブル装置のうちの１つ又は２つ以上は、サーバのうちの１つ又は２つ以上と通信することができる。
【００２８】
図２に、本明細書で説明する技術によるスマートウェアラブル装置の一般的な実施形態を示す。図示の実施形態は、本明細書で説明する機能を実行できるように修正又はカスタマイズすることもできると理解されるであろう。図示の例示的な実施形態では、スマートウェアラブル装置が、プロセッサ２０２と、メモリ２０４と、アプリケーションソフトウェアコード２０６とを有する「エンジン」２００を含む。プロセッサ２０２は、いずれかの好適な従来のプロセッサとすることができる。メモリ２０４は、アプリケーションプログラムコード２０６を記憶するための関連する記憶スペースを有するいずれかの好適な従来のＲＡＭタイプメモリ及び／又はＲＯＭタイプメモリを含むことができる。
【００２９】
必要に応じて、本明細書で説明するスマートウェアラブル装置の機能のうちの１つ又は２つ以上を実行する従来の有線又は無線通信モジュール２０８（例えば、送信機又は受信機、或いは送受信機）を含めることもできる。提供できる無線通信能力の例としては、以下に限定されるわけではないが、Ｂｌｕｅｔｏｏｔｈ、Ｗｉ−Ｆｉ、赤外線、セルラー及び近距離通信が挙げられる。必要に応じて、１又は２以上の従来のインターフェイス又はコントローラ２１０を設けることもできる。インターフェイス又はコントローラの例としては、以下に限定されるわけではないが、アナログ−デジタルコンバータ、デジタル−アナログコンバータ、バッファなどが挙げられる。
【００３０】
装置は、本明細書で説明する機能のうちの１つ又は２つ以上を実行するように装置に入力を提供する生物学的又は生理学的センサのための少なくとも１つの入力部２１２を含むことができる。任意のセンサのためのセンサ入力部２１４−１〜２１４−ｎを含めることもできる。これらの任意の入力センサとしては、以下に限定されるわけではないが、加速度計、温度センサ、高度センサ、モーションセンサ、位置センサ及び本明細書で説明する（単複の）機能を実行するその他のセンサを挙げることができる。センサにとって必要であれば、１又は２以上の従来のインターフェイス又はコントローラ２１６を設けることもできる。インターフェイス又はコントローラの例としては、以下に限定されるわけではないが、アナログ−デジタルコンバータ、デジタル−アナログコンバータ、バッファなどが挙げられる。
【００３１】
また、装置は、１又は２以上の出力装置を駆動する１又は２以上の出力部２１８−１〜２１８−ｎ（及びこれらの出力装置）を含むこともできる。これらの出力装置は、以下に限定されるわけではないが、触覚出力装置、遠隔測定装置、視覚装置、可聴装置及び本明細書で説明する機能を実行できる他の出力装置を含むことができる。出力装置にとって必要であれば、１又は２以上の従来のインターフェイス又はコントローラ２２０を設けることもできる。インターフェイス又はコントローラの例としては、以下に限定されるわけではないが、アナログ−デジタルコンバータ、デジタル−アナログコンバータ、バッファなどが挙げられる。
【００３２】
本明細書で説明する機能に従い、ユーザ入力部２２２を提供することもできる。ユーザ入力部は、例えば１又は２以上の機能の開始、１又は２以上の機能の終了、又は実行プロセスへの介入を行うことができる。ユーザ入力部は、以下に限定されるわけではないが、マニュアルスイッチ、タッチセンサ、磁気センサ、近接センサなどを含むいずれかの従来の入力装置とすることができる。出力装置にとって必要であれば、１又は２以上の従来のインターフェイス又はコントローラ２２４を設けることもできる。インターフェイス又はコントローラの例としては、以下に限定されるわけではないが、アナログ−デジタルコンバータ、デジタル−アナログコンバータ、バッファなどが挙げられる。
【００３３】
エンジン２００は、本明細書で説明する（単複の）機能に応じて、機械学習又はその他の適応的機能のためのフィードバックループ２２６を含むこともできる。フィードバックループは、装置の較正を可能にすることもできる。
【００３４】
本明細書で説明するスマートウェアラブル装置は、上述した構成要素のためのハウジング又はキャリアを必然的に含むと理解されるであろう。本明細書で使用する「スマートウェアラブル装置」という用語は、ユーザの身体に装着され又は別様に関連し、ユーザの１又は２以上の生物学的又は生理的状態を検知する少なくとも１つのセンサを通じてユーザに「接続」された装置を意味すると理解されるであろう。
【００３５】
ハウジング又はキャリアの特定の形態（すなわち、ウェアラブルプラットフォーム）は、本明細書で説明する機能を実行するための選択及び適合性に基づいて様々とすることができる。ウェアラブルプラットフォームの例としては、以下に限定されるわけではないが、手着用型装置、指着用型装置、手首着用型装置、頭部着用型装置、腕着用型装置、脚着用型装置、足首着用型装置、足着用型装置、つま先着用型装置、腕時計、眼鏡、指輪、ブレスレット、ネックレス、宝飾品、衣類、靴、帽子、コンタクトレンズ、手袋などが挙げられる。
【００３６】
入力センサ及び出力装置は、スマートウェアラブル装置の（単複の）機能に望ましいように、及び／又は適するように、ウェアラブルプラットフォームに一体化することも、又はウェアラブルプラットフォームに外付けすることもできるとさらに理解されるであろう。
【００３７】
Ｂ．近接性ベースの交換のためのスマートウェアラブル装置
開示する装置及び方法は、１又は２以上のウェアラブル装置と１又は２以上の非ウェアラブル装置との間のコンパニオンデータの交換を容易にする。図３に、例えばスマートウェアラブル装置１０４−１（図１及び図２を参照）に従う１対のウェアラブル装置３１０ａ及び３１０ｂと、例えば非ウェアラブル装置１１０−１（図１を参照）に従う１又は２以上の非ウェアラブル装置又は外部装置３２４との間におけるコンパニオンデータ交換のためのシステム３００の概略図を示す。
【００３８】
ウェアラブル装置３１０ａ及び３１０ｂは、着用されている間にそれぞれのユーザ３２０及び３２２から生物学的／生理学的入力（例えば、それぞれ生体データ３１２ａ及び３１２ｂ）を受け取るように構成される。ユーザからのこのような生物学的／生理学的入力３４２は、ユーザの体温、脈拍、血圧などに関するデータ又は信号を含むことができる。センサ３５０は、ユーザの組織内にプロービング信号３４０（例えば酸素測定法又は撮像などのための光パルス）を送信して信号３４２として取得することもできる。
【００３９】
ウェアラブル装置３１０ａ及び３１０ｂは、無線通信リンク３１６（例えば、Ｗｉｆｉ、Ｂｌｕｅｔｏｏｔｈ、ＩＲ、又は当業で利用可能な他の無線通信手段）を介して、それぞれのユーザ３２０及び３２２にデータ（例えば、それぞれデータ３１４ａ及び３１４ｂ）を出力するとともに、ユーザ３２０及び３２２、及び／又は外部コンピュータ装置３２４の間でデータを交換するようにさらに構成される。装置３１０ａ又は３１０ｂの一方又は両方、或いは（例えば、携帯電話機、コンピュータ、ウェブサーバなどを含むことができる）外部コンピュータ装置３２４にはアプリケーションプログラム３２６をインストールして、装置の識別、データの交換、及び／又は取得したデータをユーザが見るためのプラットフォームを容易にすることができる。
【００４０】
図４の要素図を参照すると、ウェアラブル装置３１０は、体温、心拍数、動きなどのユーザの１又は２以上の生物学的／生理学的状態を測定するためにユーザ３２０内に信号３４０を送信し、又はユーザ３２０から信号／データ／測定値を受け取るように構成された環境センサ３５０などの、情報の取得／交換を行う複数の構成要素を含むことができる。
【００４１】
ウェアラブル装置は、アプリケーションプログラム３５８（図２のコード２０６も参照）を記憶するメモリ３５６、プログラム３５８を実行するプロセッサ３５４、並びに他のウェアラブル及び／又は非ウェアラブル装置の検出、及び／又は他のウェアラブル及び／又は非ウェアラブル装置との（例えば、Ｗｉｆｉ、Ｂｌｕｅｔｏｏｔｈ、ＩＲなどの無線リンク３４６を介した）データ転送を行う無線通信インターフェイス／回路３５２をさらに含むことができる。以下でさらに詳細に説明するように、装置３１０の通信リンク３４６は、他の装置（例えば、装置３１０ｂ及びその着用ユーザ、すなわちユーザ３２２）に近接する装置３１０（従って着用ユーザ、すなわちユーザ３２０）の位置に関する近接性データ３６０を無線で通信することができる。装置３１０の通信リンク３４６は、装置３１０ａと３１０ｂとの間の交換データ３６２を無線で通信することもでき、この交換データは、センサ３５０からの環境／生体認証データ３４２を含むことが好ましい。
【００４２】
装置３１０は、振動、温覚、（例えば、スピーカを介した）音、又は照明などの視覚指示などの感覚又は視覚データ３４４をユーザに出力する出力部３６０を含むこともできる。視覚照明は、ＬＥＤ又は実際のディスプレイ、又は当業で周知の他の出力装置を介したものとすることができる。特定の装置機能に応じて、図２の装置１０４に示すような他の回路を組み込むこともできる。
【００４３】
ウェアラブル装置３１０ａ及び３１０ｂは、互いの存在又は不在に関わらずそれぞれの着用者３２０及び３２２が着用することができる。着用者３２０及び３２２が、装置３１０ａ、３１０ｂを着用している間に互いの近傍に近付くと、ウェアラブル装置３１０ａ及び３１０ｂは、（例えば、Ｂｌｕｅｔｏｏｔｈ、Ｗｉｆｉ、又は無線通信３５２を通じた接触によるＮＦＣを介して）互いの存在を識別し、このような発生をメモリに記録し、及び／又は着用者３２０、３２２の一方又は両方にフィードバック（例えば、かすかな又は心地よい振動、わずかな温度上昇、特別な着信音など）を与えることができる。ウェアラブル装置３１０ａ、３１０ｂは、着用者から１又は２以上の生体認証データセットを収集して他の着用者に中継できることが理想的である。例えば、ウェアラブル装置３１０自体の心拍数生体センサ３５０によって心拍数を測定することはできるが、必ずしもウェアラブル装置３１０が心拍数データを処理する必要はない。着用者３２０及び３２２が互いの相対的範囲内にどれほど長く留まっていたかについての継続時間を追跡して集計し、後で取得できるようにすることもできる。このようなデータは、ウェアラブル装置自体が呼び戻すことも、或いはアプリケーションプログラム３２６によって提供されるインターフェイスを通じて外部装置３２４を介してアクセスすることもできる。例えば、いずれのユーザも、２人のユーザ３２０、３２２が所与の期間にわたって互いにごく近接していた総時間数の、例えば日々の合計、毎月の合計又は毎年の合計、或いは頻度を追跡することができる。
【００４４】
着用者が互いに近接していない間は、アプリケーションプログラム３２６又は３５６を、他の１又は複数のユーザとの他の形態の接続、或いは通話頻度、通話時間、ＳＭＳ／ＭＭＳの回数及びソーシャルメディア範囲における他の形態の通信（Ｆａｃｅｂｏｏｋへの投稿、インスタグラム上のいいね！など）などの他の形態の通信を追跡して蓄積するように構成することができる。
【００４５】
着用者３２０、３２２の一方又は両方が自分のウェアラブル装置３１０を着用していない時には、関係が潜在的に不健全になる兆候と考えることができ、従って第１の着用者がもはやウェアラブル装置を着用していない旨を（第２の着用者が着用している）他方のウェアラブル装置に通知することができる。このような行動も、追跡して後で収集することができる。
【００４６】
着用者３２０、３２２間の関係の健全度を評価して、着用者３２０、３２２又は着用者のウェアラブル装置３１０ａ、３１０ｂに何らかの形で戻すこともできる。
【００４７】
さらなる例では、アプリケーションソフトウェア３５８を、最近デートし始めたカップルを標的にするように構成することができる。ここでは、説明目的でユーザ３２０とユーザ３２２がデートをしていると想定する。ウェアラブル装置３２０及びウェアラブル装置３２２をユーザ３２０及びユーザ３２２のネットワークサービスアカウント（例えば、ソーシャルメディアアカウント）にそれぞれ登録し、その後に装置３１０ａ及び３１０ｂをペアにすることができる。サーバ１１６−１〜１１６−１０の全部又は一部にネットワークサービスを実装することができる。ネットワークサービスは、ユーザのウェアラブル装置を登録する選択肢を各ユーザに提供することができ、また登録済みのウェアラブル装置がユーザの体温、脈拍、血圧などに関するデータ又は信号などのセンサ情報を含む情報を交換することによってネットワークサービスと通信できるようにするＡＰＩを有することもできる。また、登録済みのウェアラブル装置は、ユーザのアカウントのアカウント設定に応じて、２人のユーザ３２０、３２２が所与の期間にわたって互いにごく近接している総時間数の、例えば日々の合計、毎月の合計又は毎年の合計、或いは頻度を自動的に送信することもできる。
【００４８】
そして、ネットワークサービスは、２人のユーザ３２０、３２２が所与の期間にわたって互いにごく近接している総時間数の情報をユーザ３２０及びユーザ３２２しか確認できないようにすることができる。これにより、ユーザ３２０及び３２２は、自分たちの個人情報が保護されていると感じることができる。ネットワークサービスは、この総時間数の長さに応じて、特別なＬＥＤ発光パターン又はディスプレイ上に表示される特別な画像などの特別な信号を音声付き又は音声なしでウェアラブル装置３１０ａ及び３１０ｂに出力させることができる。
【００４９】
例えば、この特別な信号は、総時間数の長さが所定の閾値（例えば、１週間当たり１０時間）を超えた時に発生することができる。ユーザ３２０及び３２２のデート開始時点からの長さに応じて、異なる特別な信号（例えば、異なるＬＥＤ発光パターン、ディスプレイに表示される異なる画像、異なる音のパターン）を出力することができる。ユーザのデート開始時点は、ネットワークアカウントに登録することができる。特別な信号は、上記の例に制限されるものではない。例えば、何らかの条件が満たされた（例えば、総時間数が所定の閾値を超えた）時に、ユーザ３２０及び３２２の両方のネットワークサービスアカウントに特別なアイテムを出現させることもできる。
【００５０】
上記は、ネットワークサービスがユーザ３２０及び３２２の情報を管理する主な役割を演じるものとして説明したものである。異なる構成も考えられる。例えば、センサ情報の全部又は一部（又は２人のユーザ３２０、３２２が所与の期間にわたって互いにごく近接していた総時間数などの、センサ情報から処理した情報）を装置３１０ａ及び３１０ｂに記憶することもできる。
【００５１】
図５は、本開示による、ウェアラブル装置間におけるコンパニオンベースの交換のための例示的な方法４００のフロー図である。方法４００は、図２のコード２０６の一部としてのアルゴリズム又はソフトウェアルーチンとして使用することもできると理解されたい。ブロック４０２において、ウェアラブル装置３１０を、特定の時点／間隔でセンサ３５０を通じて無線通信３５２を介して生体センサデータ３４２を取得するようにプログラムする。ステップ４０４において、関心のある着用者に属している別のウェアラブル装置が近くに存在する場合、装置３１０は、近接性データ３６０を取得することができる。データ取得ステップ４０２及び４０４は、同時に行うことも、又は連続して行うこともできる。その後、アプリケーションソフトウェア３５６を介してステップ４０２及び／又は４０４からのデータを処理し、次にステップ４０８において、１）出力装置３６０を介したユーザ３２０への生体出力４１０（例えば、振動、加温、光又は音の放出、又は視覚表示）、２）無線通信３５２を介した他のユーザ（例えば、ウェアラブル装置）とのデータ交換４１２、及び３）外部装置３２４とのデータ交換４１４、という３つの出力のうちの１つ又は２つ以上に従ってフォーマットする。
【００５２】
Ｃ．近接性ベースの交換のためのスマートウェアラブル装置
開示する装置及び方法は、１又は２以上のウェアラブル装置と１又は２以上の非ウェアラブル装置との間の近接性ベースの交換の取得を容易にする。図６に、例えばスマートウェアラブル装置１０４−１（図１及び図２を参照）に従うウェアラブル装置５０２と、例えば非ウェアラブル装置１１０−１（図１を参照）に従う１又は２以上の非ウェアラブル装置５２０、５２２との間における近接性ベースの交換のためのシステム５００の概略図を示す。
【００５３】
好ましい実施形態では、ユーザが、事前に特定の能力がプログラムされたウェアラブル装置５０２を（例えば、小売店又はその他の販売店から）購入することができる。装置５０２は、人の手首に配置するリストバンド５０２の形で示されている。ウェアラブル装置５０２のフォームファクタ、ケーシング／ハウジングなどは、例えばステッカー又はバンドエイド、衣類、手袋、ヘルメットなどの接着剤に基づく製品などのあらゆる数の形態を含むことができると理解されたい。
【００５４】
ウェアラブル装置５０２は、体温、心拍数、動きなどのユーザの１又は２以上の生物学的／生理学的状態を測定するように構成された環境センサ５１０などの複数の構成要素、並びにプログラム（例えば、コード２０６）を記憶するメモリ５０４、プログラムを実行するプロセッサ５０８、及び他のウェアラブル及び／又は非ウェアラブル装置と（例えば、Ｗｉｆｉ、Ｂｌｕｅｔｏｏｔｈ、ＩＲなどを介して）通信する通信インターフェイス／回路５０６を含むことができる。特定の装置機能に応じて、図２の装置１０４に示すような他の回路を組み込むこともできる。
【００５５】
別の実施形態（図示せず）では、上記の構成要素のうちの１つ又は２つ以上が、購入時にスキャナによって有効にすることができる（例えば、購入時のスキャニング時に許可が有効になる）ＲＦＩＤチップの形を取ることもできる。
【００５６】
図７は、本開示による、ウェアラブル装置との間の近接性ベースの交換のための例示的な方法５５０のフロー図である。方法５５０は、図２のコード２０６の一部としてのアルゴリズム又はソフトウェアルーチンとして使用することもできると理解されたい。ブロック５５２において、ウェアラブル装置５０２に交換許可をプログラムする。交換許可は、以下でさらに詳細に説明するように、製品に応じて複数の異なる装置又はアプリケーションに対して行うことができる。この時点又は後の指定した時点（例えば購入時）に、許可の有効化（ブロック５５４）を行うことができる。
【００５７】
ブロック５５６において、ユーザが非ウェアラブル装置（例えば、スマートフォン５２０又はウェブ対応コンピュータ／ＤＶＲ／ＴＶ５２２）に近接して身体上の特定の位置にウェアラブル装置５０２を着用すると、セキュアなデータ／情報交換が行われてウェアラブル装置５０２が認証され（図６のブロック５１２及び図７のブロック５５８）、ウェアラブル装置５０２との交換の権利が保証される。次に、ブロック５６０において、ウェアラブル装置は、拡張能力に関連する最新データ、新規機能又は同様の情報交換を取得することができる。このような機能は、限定するわけではないが、図６に示す新規加入権利５１６又はゲームアドオン５１４を含むことができる。これらの例は、音楽又はＴＶ番組への加入アクセス、ゲーム内の新たなレベルへのアクセス、時間制限のある新たなアバターへのアクセス、又はゲーム内の新たなキャラクタへのアクセスとすることができる。許可及び／又は交換されたデータは、メモリ５０４に記憶することができる。
【００５８】
１つの実施形態では、認証ステップ５５８及び／又は権利／交換ステップ５６０が、インターネット接続５２４を介したデータサーバ５２６へのさらなる同期及び／又は結合を含むことができる。サーバ５２６は、ウェアラブル製品の有効な購入に関するデータ（例えば、ウェアラブル装置５０２は、購入時にスキャンされる、購入を有効にするための関連バーコードを有することができる）に加えて、許可／加入データなどを含むことができる。
【００５９】
好ましい実施形態では、ウェアラブル装置が使い捨てとして構成される。使い捨てウェアラブル装置の固有の性質により、ウェアラブル装置の廃棄時に権利が終了し、従って悪用の可能性が防がれる。例えば、生体センサ５１０を、特定のユーザを検知するように、又はユーザが一旦ウェアラブル装置５０２を取り外したら交換権利が終了するように１回のみの使用を可能にするように構成することができる。具体的には、ユーザの指紋、体温、網膜、又は別のユーザからの使用を禁止する他のインジケータをセンサによって読み取ることができる。
【００６０】
ウェアラブル装置の１つの例示的な用途では、ユーザが（例えば、Ｄｉｓｎｅｙ又はその他の関連する印を有する）使い捨てのバンドエイドのようなウェアラブル装置を購入し、非ウェアラブル装置５２０／５２２の近くでユーザの身体に固着／付着させると、ゲーム内の新たなキャラクタ、壁紙へのアクセス、着信音などが許可されるようになる。
【００６１】
ステップ５６０におけるコンテンツ交換の場合、１つの例示的な構成では、ウェアラブル装置５０２が、ウェアラブルステッカー又はビデオコンテンツ加入ステッカー装置の形の音楽（例えば、ｍｐ３又は他のストリーミング可能フォーマット）加入などの加入コンテンツ管理装置の形を取ることができ、ユーザは、装置を着用してＴＶ５２２、スマートフォン５２０、又はダウンロード及び／又はストリーミングが可能な他の非ウェアラブル装置に近接している限り、指定期間にわたって所定のコンテンツを楽しむ権利を有する。
【００６２】
Ｄ．ユーザ認証、アクセス権検証及び範囲通知のためのスマートウェアラブル装置
次に図８を参照すると、スマートウェアラブル装置１０４−１の１つの実施形態が、装置間の通信時にスマートウェアラブル装置が利用できる非ウェアラブル装置６０８、６１０、６１８を一定範囲６０６内で検出できる概略図６００を示している。この検出は、スマートウェアラブル装置が非ウェアラブル装置にピングを行うことによって、Ｂｌｕｅｔｏｏｔｈ又はＧＰＳの信号強度を求めることによって、或いはＷｉ−Ｆｉポジショニングを行うことによって行うことができる。
【００６３】
通常、ユーザが会員制サービスなどのいくつかのサービスにアクセスするには、まずユーザのアイデンティティを認証してアクセス権を確認しなければならない。図８に示す実施形態では、スマートウェアラブル装置が、生体認証を通じてユーザ６０４のアイデンティティを認証することができる６０２。具体的には、この例示的なシステムでは、ユーザの心拍署名を認証する（６０２）ことによってユーザ６０４のアイデンティティが認められる。
【００６４】
ユーザのアイデンティティの認証（６０２）後、スマートウェアラブル装置は、一定範囲６０６内に存在する検出された非ウェアラブル装置６０８、６１０、６１８と共に使用できるサービスへのアクセス権をユーザが有していることを検証することもできる。非ウェアラブル装置又はレンダラー上のサービスへのアクセスを可能にする認証機構は、現在のアクセス権又は満了を示すウェアラブルトークンとすることができる。例えば、ユーザは、メディアサービスへのアクセス権を有することも、又は特別なオファー又はクーポンへのアクセス権を有することも、或いはユーザが非ウェアラブル装置の一定範囲内に存在する時にそのユーザのみが使用できるゲームキャラクタの特別な力へのアクセスを有することもできる。トークンは、スマートウェアラブル装置に含める（例えば、セマンティックウェブベース（ＳＷＢ））ことも、又はトークンがスマートウェアラブル装置自体の集合体の形を取ることも、或いはブレスレットの飾りのように収集することもできる。サービスへのアクセス権が検証された場合、スマートウェアラブル装置は、通信範囲６０６内の検出された非ウェアラブル装置６０８、６１０上で使用されるサービスへのアクセス６１２を許可することができる。
【００６５】
スマートウェアラブル装置は、サービスへのアクセスを許可された時、又はスマートウェアラブル装置がサービスを使用している非ウェアラブル装置からの距離の範囲外に近付いている時にユーザに通知することもできる。例えば、ユーザがスマートウェアラブル装置によって利用可能になった映画をテレビで見ている際に、テレビから離れ過ぎてスマートウェアラブル装置とテレビが通信できなくなり始めている場合、スマートウェアラブル装置１０４−１は、光を発して（６１４）（又は色を変化させたり、アラームを鳴らしたりして）ユーザに通知することができる。スマートウェアラブル装置と非ウェアラブル装置との間の境界の限界は目に見えず、使用中の通信インターフェイス、アクセス中のサービスなどに応じて異なることもあるので、この通知はサービスを中断しないために重要となり得る。
【００６６】
別の実施形態では、ユーザが、着用したウェアラブル装置６１４を用いて車６１８を（例えば、車が普通車又はハイブリッド車の場合にはエンジンを、車が電気自動車又はハイブリッド車の場合にはモータを）作動させることもできる。車６１８を作動させる条件は、ユーザがウェアラブル装置６１４によって識別されているかどうかと、ウェアラブル装置６１４が車の一定範囲内に存在するかどうかとの関数であることが好ましい。
【００６７】
次に図９を参照すると、ユーザのアイデンティティを認証し、スマートウェアラブル装置の通信範囲内に存在する非ウェアラブル装置と共に使用するサービスへのアクセス権を検証する例示的な方法のフロー図７００を示している。この実施形態例では、スマートウェアラブル装置が、生体認証又はその他の認証機構を通じてユーザのアイデンティティを認証することができる（７１０）。次に、スマートウェアラブル装置は、スマートウェアラブル装置の範囲内に存在する非ウェアラブル装置を検出することができる（７２０）。これらの非ウェアラブル装置は、ユーザがアクセスできるサービスと共に使用できるメディアレンダリング装置又はその他のレンダリング装置とすることができる。このような装置は、以下に限定されるわけではないが、スマートテレビ、タブレットコンピュータ、スマートモニタなどを含む。ユーザが、会員制のサービスストリーミングメディアなどのサービスを購入した場合、スマートウェアラブル装置は、認証されたユーザが、検出された非ウェアラブル装置と共に使用するサービスへのアクセス権を有していることを検証することができる（７３０）。検証が上手くいった場合、スマートウェアラブル装置は、サービスへのアクセスを許可することができ、スマートウェアラブル装置の通信範囲内の検出された非ウェアラブル装置上でサービスを使用することができる（７４０）。任意に、スマートウェアラブル装置は、スマートウェアラブル装置がユーザのサービスへのアクセスを許可した時、及びスマートウェアラブル装置の範囲内に非ウェアラブル装置が存在する時に、１又は２以上の出力装置又は出力形態を用いて通知を行うこともできる（７５０）。この通知は、スマートウェアラブル装置が非ウェアラブル装置の範囲から出始めた時に行うこともできる。装置が互いに離れ過ぎていることによって通信できない場合には、サービス接続が失われる可能性もあるので、ユーザがスマートウェアラブル装置を非ウェアラブル装置の範囲外に動かし始めた時には、この通知機能が有用となり得る。
【００６８】
図９のフロー図７００では、まずユーザがウェアラブル装置によって認証される。この認証は、ユーザの生体認証データ又は他の何らかの情報によって行われる。他の何らかの情報の例としては、ウェアラブル装置を振動させる特定のパターンが挙げられる。ウェアラブル装置がリストタイプバンドである場合、ウェアラブル装置に実装されたセンサが、ユーザの手首を振動させる（すなわち、ウェアラブル装置を振動させる）パターンを検知することができる。例えば、リストバンドタイプのウェアラブル装置を２秒以内に素早く３回捻ることをウェアラブル装置のメモリ２０４に登録することができる。この例では、ウェアラブル装置が、認証を受け付けることができる認証モードを有することができる。ウェアラブル装置は、着用していたウェアラブル装置をユーザが取り外している動作を検知する時点まで、そのウェアラブル装置を同じユーザが使用していると想定し続けることができる。ウェアラブル装置がリストタイプである場合、ウェアラブル装置は、装置のリストバンドの留め金を外す動作を検知することによってこのような動作を検知することができる。このような動作を検知する１つの例では、ウェアラブル装置のリストバンドの留め金を外す動作を検出した時の典型的なセンサ情報パターンを予め記憶しておいて、ウェアラブル装置が認証モードにある時に、このような典型的なパターンに関する情報を、検知されたデータと比較することができる。
【００６９】
ユーザが車６１８に近付き（すなわち、車６１８の一定範囲内に入り）、ユーザがウェアラブル装置６１４によって認証されると、ウェアラブル装置６１４は、車のドアの開錠又はその他の機能（例えば、ＡＣなど）を実行することができる。さらに、ユーザが車６１８の内部にいる場合、車６１８は、Ｂｌｕｅｔｏｏｔｈ、ＮＦＣなどのウェアラブル装置からの信号を検出することによってユーザが車内に存在すると認識することができる。ウェアラブル装置６１４がハンドル（図示せず）の近くにくると、車のエンジン又はモータを作動させることができる。この場合、ハンドル及びウェアラブル装置は、ＮＦＣトランシーバなどの何らかの短距離無線通信インターフェイス回路（図示せず）を有して、ウェアラブル装置がハンドルの近くに存在すると判断することができる。この例では、ユーザが、ウェアラブル装置を着用している手でハンドルを握った時にエンジン又はモータを作動させることができる。車は、ユーザが車の何らかの特別なボタン（例えば、図示しないオフボタン）を押さない限り、車のエンジン又はモータを作動したままにしておくことができる。これにより、ユーザがハンドルから手を離すことによって意図せずに車のエンジン又はモータを止めてしまうことを避けることができる。
【００７０】
ステップ７５０において、ウェアラブル装置６１４は、ユーザが車外に出た時に固有の振動パターンによってユーザに通知することができる。
【００７１】
本技術の実施形態は、コンピュータプログラム製品としても実装できる、本技術の実施形態による方法及びシステム、及び／又はアルゴリズム、数式又はその他の計算表現のフロー図を参照して説明することができる。この点、フロー図の各ブロック又はステップ、及びフロー図のブロック（及び／又はステップ）の組み合わせ、アルゴリズム、式、又は計算表現は、ハードウェア、ファームウェア、及び／又はコンピュータ可読プログラムコード論理の形で具体化された１又はそれ以上のコンピュータプログラム命令を含むソフトウェアなどの様々な手段によって実装することができる。理解されるように、このようなあらゆるコンピュータプログラム命令は、以下に限定されるわけではないが、汎用コンピュータ又は専用コンピュータ、又は機械を生産するためのその他のあらゆるプログラマブル処理装置を含むコンピュータ上にロードして、コンピュータ又はその他のプログラマブル処理装置上で実行されるコンピュータプログラム命令が、（単複の）フロー図の（単複の）ブロック内に特定される機能を実施するための手段を生み出すようにすることができる。
【００７２】
従って、フロー図のブロック、アルゴリズム、式、又は計算表現は、特定の機能を実行するための手段の組み合わせ、特定の機能を実行するためのステップの組み合わせ、及びコンピュータ可読プログラムコード論理手段の形で具体化されるような、特定の機能を実行するためのコンピュータプログラム命令をサポートする。また、本明細書で説明したフロー図の各ブロック、アルゴリズム、式、又は計算表現、及びこれらの組み合わせは、特定の機能又はステップを実行する専用ハードウェアベースのコンピュータシステム、又は専用ハードウェアとコンピュータ可読プログラムコード論理手段の組み合わせによって実装することもできると理解されるであろう。
【００７３】
さらに、コンピュータ可読プログラムコード論理などの形で具体化されるこれらのコンピュータプログラム命令を、コンピュータ又はその他のプログラマブル処理装置に特定の態様で機能するように指示することができるコンピュータ可読メモリに記憶して、これらのコンピュータ可読メモリに記憶された命令が、（単複の）フロー図の（単複の）ブロック内に指定される機能を実施する命令手段を含む製造の物品を生産するようにすることもできる。コンピュータプログラム命令をコンピュータ又はその他のプログラマブル処理装置上にロードし、コンピュータ又はその他のプログラマブル処理装置上で一連の動作ステップが実行されるようにしてコンピュータで実施される処理を生成し、コンピュータ又はその他のプログラマブル処理装置上で実行される命令が、（単複の）フロー図の（単複の）ブロック、（単複の）アルゴリズム、（単複の）式、又は（単複の）計算表現に特定される機能を実施するためのステップを提供するようにすることもできる。
【００７４】
さらに、本明細書で使用する「プログラム」は、本明細書で説明した機能を実行するためにプロセッサが実行できる１又は２以上の命令を意味すると理解されるであろう。プログラムは、ソフトウェア、ファームウェア、又はソフトウェアとファームウェアとの組み合わせで具体化することができる。プログラムは、装置の非一時的媒体にローカルに記憶することも、又はサーバなどに遠隔的に記憶することもでき、或いはプログラムの全部又は一部をローカル又は遠隔的に記憶することもできる。遠隔的に記憶されたプログラムは、ユーザが開始することによって装置にダウンロード（プッシュ）することも、例えば場所、タイミングイベント、オブジェクトの検出、顔の表情の検出、場所の検出、場所の変化の検出又はその他の要因などの１又は２以上の要因に基づいて、又は自動的にダウンロードすることもできる。さらに、本明細書で使用するプロセッサ、中央処理装置（ＣＰＵ）及びコンピュータという用語は、プログラム、並びに入力／出力インターフェイス及び／又は周辺装置との通信を実行できる装置を示すために同義的に使用されると理解されるであろう。
【００７５】
上記の説明から、限定ではないが以下の内容を含む様々な方法で本技術を具体化することができると理解されるであろう。
【００７６】
１．ウェアラブル装置であって、（ａ）ハウジングと、（ｂ）少なくとも１つのセンサが生物学的又は生理学的入力を検知するように構成された、ハウジングに結合された１又は２以上のセンサと、（ｃ）１又は２以上の通信インターフェイスと、（ｄ）プロセッサと、（ｅ）非一時的媒体に記憶された、プロセッサによる読み出し及び実行が可能なプログラムとを備え、プログラムは、（ｉ）１又は２以上のセンサを介して第１のユーザの生物学的又は生理学的入力を検知するステップと、（ｉｉ）ウェアラブル装置に近接する第２のユーザによって着用された第２のウェアラブル装置を識別するステップと、（ｉｉｉ）１又は２以上の通信インターフェイスを介して第２のウェアラブル装置とデータを交換するステップとを実行する、ウェアラブル装置。
【００７７】
２．データは、第１のユーザの生物学的又は生理学的入力に関するデータを含む、前出のいずれかの実施形態に記載のウェアラブル装置。
【００７８】
３．データは、第２のユーザの生物学的又は生理学的入力に関するデータを含む、前出のいずれかの実施形態に記載のウェアラブル装置。
【００７９】
４．データは、第１のユーザと第２のユーザとの近接性に関する近接性データを含む、前出のいずれかの実施形態に記載のウェアラブル装置。
【００８０】
５．近接性データは、第１又は第２のユーザから収集できるように記憶される、前出のいずれかの実施形態に記載のウェアラブル装置。
【００８１】
６．プログラムは、第１のユーザに対する第２のユーザの近接性についての出力信号を第１のユーザに送信するようにさらに構成され、出力信号は、振動、可聴音又は可視発光のうちの１つ又は２つ以上である、前出のいずれかの実施形態に記載のウェアラブル装置。
【００８２】
７．生物学的又は生理学的入力は、第１のユーザの心拍数、体温又は血圧のうちの１つ又は２つ以上に関する信号を含む、前出のいずれかの実施形態に記載のウェアラブル装置。
【００８３】
８．第１のユーザと第２のユーザとの間の通信のためのシステムであって、（Ａ）第１のウェアラブル装置及び第２のウェアラブル装置を備え、第１及び第２のウェアラブル装置の各々は、（ｉ）ハウジングと、（ｉｉ）少なくとも１つのセンサが生物学的又は生理学的入力を検知するように構成された、ハウジングに結合された１又は２以上のセンサと、（ｉｉｉ）１又は２以上の通信インターフェイスと、（ｉｖ）プロセッサと、（ｖ）非一時的媒体に記憶された、プロセッサによる読み出し及び実行が可能なプログラムとを含み、プログラムは、（ａ）第１のウェアラブル装置の１又は２以上のセンサを介して第１のユーザの生物学的又は生理学的入力を検知するステップと、（ｂ）第１のウェアラブル装置に近接する第２のユーザによって着用された第２のウェアラブル装置を識別するステップと、（ｃ）第１のウェアラブル装置と第２のウェアラブル装置との間でデータを交換するステップとを実行する、システム。
【００８４】
９．データは、第１のユーザの生物学的又は生理学的入力に関するデータを含む、前出のいずれかの実施形態に記載のシステム。
【００８５】
１０．データは、第２のユーザの生物学的又は生理学的入力に関するデータを含む、前出のいずれかの実施形態に記載のシステム。
【００８６】
１１．データは、第１のユーザと第２のユーザとの近接性に関する近接性データを含む、前出のいずれかの実施形態に記載のシステム。
【００８７】
１２．近接性データは、第１又は第２のユーザについて収集できるように記憶される、前出のいずれかの実施形態に記載のシステム。
【００８８】
１３．プログラムは、第１のユーザに対する第２のユーザの近接性についての出力信号を第１のウェアラブル装置から第１のユーザに送信するようにさらに構成され、出力信号は、振動、可聴音又は可視発光のうちの１つ又は２つ以上である、前出のいずれかの実施形態に記載のシステム。
【００８９】
１４．生物学的又は生理学的入力は、第１のユーザの心拍数、体温又は血圧のうちの１つ又は２つ以上に関する信号を含む、前出のいずれかの実施形態に記載のシステム。
【００９０】
１５．第１のウェアラブル装置を着用する第１のユーザと、第２のウェアラブル装置を使用する第２のユーザとの間の通信方法であって、第１のウェアラブル装置に結合された１又は２以上のセンサを介して第１のユーザの生物学的又は生理学的入力を検知するステップと、ウェアラブル装置に近接する第２のユーザによって着用された第２のウェアラブル装置を識別するステップと、第１のウェアラブル装置の１又は２以上の通信インターフェイスを介して第２のウェアラブル装置とデータを交換するステップと、を含む方法。
【００９１】
１６．データは、第１のユーザ又は第２のユーザの生物学的又は生理学的入力に関するデータを含む、前出のいずれかの実施形態に記載の方法。
【００９２】
１７．データは、第１のユーザと第２のユーザとの近接性に関する近接性データを含む、前出のいずれかの実施形態に記載の方法。
【００９３】
１８．近接性データは、第１又は第２のユーザから収集できるように記憶される、前出のいずれかの実施形態に記載の方法。
【００９４】
１９．第１のユーザに対する第２のユーザの近接性についての出力信号を第１のユーザに送信するステップをさらに含み、出力信号は、振動、可聴音又は可視発光のうちの１つ又は２つ以上である、前出のいずれかの実施形態に記載の方法。
【００９５】
２０．生物学的又は生理学的入力は、第１のユーザの心拍数、体温又は血圧のうちの１つ又は２つ以上に関する信号を含む、前出のいずれかの実施形態に記載の方法。
【００９６】
２１．ウェアラブル装置であって、（ａ）ウェアラブル装置の構成要素を収容するハウジングと、（ｂ）少なくとも１つのセンサが生物学的又は生理学的入力を検知するように構成された１又は２以上のセンサと、（ｃ）１又は２以上の通信インターフェイスと、（ｄ）プロセッサと、（ｅ）非一時的媒体に記憶された、プロセッサによる読み出し及び実行が可能なプログラムとを備え、プログラムは、（ｉ）ウェアラブル装置に近接する１又は２以上の装置を検知するステップと、（ｉｉ）１又は２以上の装置と通信するステップと、（ｉｉｉ）ウェアラブル装置又は１又は２以上の装置に関連するデータに関する１又は２以上の許可を取得するステップとを実行する、ウェアラブル装置。
【００９７】
２２．データは、１又は２以上の装置に関連するアプリケーションプログラムを含む、前出のいずれかの実施形態に記載のウェアラブル装置。
【００９８】
２３．プログラムは、アプリケーションプログラムを遠隔サーバから１又は２以上の装置にダウンロードするようにさらに構成される、前出のいずれかの実施形態に記載のウェアラブル装置。
【００９９】
２４．アプリケーションプログラムは、加入サービスを含む、前出のいずれかの実施形態に記載のウェアラブル装置。
【０１００】
２５．アプリケーションプログラムは、ゲームソフトウェア又はその構成要素を含む、前出のいずれかの実施形態に記載のウェアラブル装置。
【０１０１】
２６．プロセッサに結合された１又は２以上の環境センサをさらに備え、１又は２以上の環境センサは、ウェアラブル装置のユーザに関連する生理学的又は生物学的特徴を検知するように構成される、前出のいずれかの実施形態に記載のウェアラブル装置。
【０１０２】
２７．１又は２以上の許可を取得するステップは、ユーザの所定の生理学的又は生物学的特徴を検知する１又は２以上の環境センサの機能である、前出のいずれかの実施形態に記載のウェアラブル装置。
【０１０３】
２８．ウェアラブル装置であって、（ａ）ウェアラブルスマート装置の構成要素を収容するハウジングと、（ｂ）少なくとも１つのセンサが生物学的又は生理学的入力を検知するように構成された１又は２以上のセンサと、（ｃ）１又は２以上の通信インターフェイスと、（ｄ）プロセッサと、（ｅ）非一時的媒体に記憶された、プロセッサによる読み出し及び実行が可能なプログラムとを備え、プログラムは、（ｉ）ウェアラブル装置に近接する１又は２以上の装置を検知するステップと、（ｉｉ）１又は２以上の装置と通信するステップと、（ｉｉｉ）ウェアラブル装置又は１又は２以上の装置に関連するデータを取得するステップとを実行する、ウェアラブル装置。
【０１０４】
２９．データを取得するステップは、ウェアラブル装置又は１又は２以上の装置に関連するデータに関する１又は２以上の許可を取得するステップを含む、前出のいずれかの実施形態に記載のウェアラブル装置。
【０１０５】
３０．データは、１又は２以上の装置に関連するアプリケーションプログラムを含む、前出のいずれかの実施形態に記載のウェアラブル装置。
【０１０６】
３１．プログラムは、プログラムを遠隔サーバから１又は２以上の装置にダウンロードするようにさらに構成される、前出のいずれかの実施形態に記載のウェアラブル装置。
【０１０７】
３２．アプリケーションプログラムは、加入サービスを含む、前出のいずれかの実施形態に記載のウェアラブル装置。
【０１０８】
３３．アプリケーションプログラムは、ゲームソフトウェア又はその構成要素を含む、前出のいずれかの実施形態に記載のウェアラブル装置。
【０１０９】
３４．プロセッサに結合された１又は２以上の環境センサをさらに備え、１又は２以上の環境センサは、ウェアラブル装置のユーザに関連する生理学的又は生物学的特徴を検知するように構成される、前出のいずれかの実施形態に記載のウェアラブル装置。
【０１１０】
３５．１又は２以上の許可を取得するステップは、ユーザの所定の生理学的又は生物学的特徴を検知する１又は２以上の環境センサの機能である、前出のいずれかの実施形態に記載のウェアラブル装置。
【０１１１】
３６．ウェアラブル装置と非ウェアラブル装置との間の近接性ベースの交換のためのシステムであって、（ａ）プロセッサと、（ｂ）非一時的媒体に記憶された、プロセッサによる読み出し及び実行が可能なプログラムとを備え、プログラムは、（ｉ）ウェアラブル装置に近接する非ウェアラブル装置を検知するステップと、（ｉｉ）非ウェアラブル装置とウェアラブル装置との間で通信するステップと、（ｉｉｉ）ウェアラブル装置又は非ウェアラブル装置に関連するデータに関する１又は２以上の許可を取得するステップとを実行する、システム。
【０１１２】
３７．データは、１又は２以上の装置に関連するアプリケーションプログラムを含み、プログラムは、プログラムを遠隔サーバから１又は２以上の装置にダウンロードするようにさらに構成される、前出のいずれかの実施形態に記載のシステム。
【０１１３】
３８．プログラムは、加入サービス、ゲームソフトウェア、又はその構成要素を含む、前出のいずれかの実施形態に記載のシステム。
【０１１４】
３９．プロセッサに結合された１又は２以上の環境センサをさらに備え、１又は２以上の環境センサは、ウェアラブル装置のユーザに関連する生理学的又は生物学的特徴を検知するように構成される、前出のいずれかの実施形態に記載のシステム。
【０１１５】
４０．１又は２以上の許可を取得するステップは、ユーザの所定の生理学的又は生物学的特徴を検知する１又は２以上の環境センサの機能である、前出のいずれかの実施形態に記載のシステム。
【０１１６】
４１．スマートウェアラブル装置であって、（ａ）ウェアラブルスマート装置の構成要素を収容するハウジングと、（ｂ）少なくとも１つのセンサが生物学的入力を取得するように構成された生物学的センサである１又は２以上のセンサと、（ｃ）１又は２以上の出力装置と、（ｄ）メモリと、（ｅ）１又は２以上の通信インターフェイスと、（ｆ）プロセッサと、（ｇ）非一時的コンピュータ可読媒体に常駐する、コンピュータプロセッサによって実行可能なプログラムとを備え、プログラムは、（ｉ）ユーザのアイデンティティを認証し、（ｉｉ）スマートウェアラブル装置の１又は２以上の通信インターフェイスの範囲内に存在する非ウェアラブル装置を検出し、（ｉｉｉ）認証されたユーザが非ウェアラブル装置と共に使用するサービスへのアクセス権を有していることを検証し、（ｉｖ）アクセス権が検証された場合、サービスへのアクセスを許可するように構成される、装置。
【０１１７】
４２．プログラムは、認証されたユーザのサービスへのアクセス権が検証された時にユーザに通知するようにさらに構成され、通知は、スマートウェアラブル装置の出力装置を通じて行われる、前出のいずれかの実施形態に記載の装置。
【０１１８】
４３．プログラムは、スマートウェアラブル装置が非ウェアラブル装置との通信範囲外に存在する時にユーザに通知するようにさらに構成され、通知は、スマートウェアラブル装置の出力装置を通じて行われる、前出のいずれかの実施形態に記載の装置。
【０１１９】
４４．ユーザのアイデンティティは、生体認証データを用いて認証される、前出のいずれかの実施形態に記載の装置。
【０１２０】
４５．１又は２以上の通信インターフェイスは、有線通信インターフェイス、無線通信インターフェイス、セルラー通信インターフェイス、ＷｉＦｉ通信インターフェイス、近距離通信インターフェイス、赤外線通信インターフェイス、ＺｉｇＢｅｅ通信インターフェイス、Ｚ−Ｗａｖｅ通信インターフェイス及びＢｌｕｅｔｏｏｔｈ通信インターフェイスから成る群から選択される、前出のいずれかの実施形態に記載の装置。
【０１２１】
４６．サービスへのアクセス権は、スマートウェアラブル装置内のトークンの形でユーザに提供され、トークンは、現在のアクセス権又はアクセス権の満了を示す、前出のいずれかの実施形態に記載の装置。
【０１２２】
４７．サービスへのアクセス権は、複数のスマートウェアラブル装置の形でユーザに提供される、前出のいずれかの実施形態に記載の装置。
【０１２３】
４８．スマートウェアラブル装置は、手着用型装置、指着用型装置、手首着用型装置、頭部着用型装置、腕着用型装置、脚着用型装置、足首着用型装置、足着用型装置、つま先着用型装置、腕時計、眼鏡、指輪、ブレスレット、ネックレス、宝飾品、衣類、靴、帽子、コンタクトレンズ及び手袋から成る群から選択されたプラットフォームを有する、前出のいずれかの実施形態に記載の装置。
【０１２４】
４９．スマートウェアラブル装置のユーザ認証及び非ウェアラブル装置の範囲通知のためのコンピュータ実装方法であって、（ａ）（ｉ）ウェアラブルスマート装置の構成要素を収容するハウジングと、（ｉｉ）少なくとも１つのセンサが生物学的入力を取得するように構成された生物学的センサである１又は２以上のセンサと、（ｉｉｉ）１又は２以上の出力装置と、（ｉｖ）メモリと、（ｖ）１又は２以上の通信インターフェイスと、（ｖｉ）プロセッサとを備えたスマートウェアラブル装置を準備するステップと、（ｂ）ユーザのアイデンティティを認証するステップと、（ｃ）スマートウェアラブル装置の１又は２以上の通信インターフェイスの範囲内に存在する非ウェアラブル装置を検出するステップと、（ｄ）認証されたユーザが非ウェアラブル装置と共に使用するサービスへのアクセス権を有していることを検証するステップと、（ｅ）アクセス権が検証された場合、サービスへのアクセスを許可するステップとを含み、（ｆ）方法は、少なくとも１つのコンピュータプロセッサ上でプログラムを実行することによって行われ、プログラムは、コンピュータプロセッサによって読み込むことができる非一時的媒体上に常駐する、方法。
【０１２５】
５０．スマートウェアラブル装置が非ウェアラブル装置との通信範囲外に存在する時にユーザに通知するステップをさらに含み、通知は、スマートウェアラブル装置の出力装置を通じて行われる、前出のいずれかの実施形態に記載の方法。
【０１２６】
５１．ユーザのアイデンティティは、生体認証データを用いて認証される、前出のいずれかの実施形態に記載の方法。
【０１２７】
５２．１又は２以上の通信インターフェイスは、有線通信インターフェイス、無線通信インターフェイス、セルラー通信インターフェイス、ＷｉＦｉ通信インターフェイス、近距離通信インターフェイス、赤外線通信インターフェイス、ＺｉｇＢｅｅ通信インターフェイス、Ｚ−Ｗａｖｅ通信インターフェイス及びＢｌｕｅｔｏｏｔｈ通信インターフェイスから成る群から選択される、前出のいずれかの実施形態に記載の方法。
【０１２８】
５３．サービスへのアクセス権は、スマートウェアラブル装置内のトークンの形でユーザに提供される、前出のいずれかの実施形態に記載の方法。
【０１２９】
５４．サービスへのアクセス権は、複数のスマートウェアラブル装置の形でユーザに提供される、前出のいずれかの実施形態に記載の方法。
【０１３０】
５５．スマートウェアラブル装置は、手着用型装置、指着用型装置、手首着用型装置、頭部着用型装置、腕着用型装置、脚着用型装置、足首着用型装置、足着用型装置、つま先着用型装置、腕時計、眼鏡、指輪、ブレスレット、ネックレス、宝飾品、衣類、靴、帽子、コンタクトレンズ及び手袋から成る群から選択されたプラットフォームを有する、前出のいずれかの実施形態に記載の方法。
【０１３１】
５６．認証されたユーザのサービスへのアクセス権が検証された時にユーザに通知するステップをさらに含み、通知は、スマートウェアラブル装置の出力装置を通じて行われる、前出のいずれかの実施形態に記載の方法。
【０１３２】
５７．スマートウェアラブル装置のユーザを認証し、非ウェアラブル装置と共に使用するサービスへのアクセス権を検証するシステムであって、（ａ）非ウェアラブル装置と、（ｂ）スマートウェアラブル装置とを備え、スマートウェアラブル装置は、（ｉ）ウェアラブルスマート装置の構成要素を収容するハウジングと、（ｉｉ）少なくとも１つのセンサが生物学的入力を取得するように構成された生物学的センサである１又は２以上のセンサと、（ｉｉｉ）１又は２以上の出力装置と、（ｉｖ）メモリと、（ｖ）１又は２以上の通信インターフェイスと、（ｖｉ）プロセッサと、（ｖｉｉ）非一時的コンピュータ可読媒体に常駐する、コンピュータプロセッサによって実行可能なプログラムとを含み、プログラムは、ユーザのアイデンティティを認証し、スマートウェアラブル装置の１又は２以上の通信インターフェイスの範囲内に存在する非ウェアラブル装置を検出し、認証されたユーザが非ウェアラブル装置を用いたサービスへのアクセス権を有していることを検証し、アクセス権が検証された場合、サービスへのアクセスを許可するように構成される、システム。
【０１３３】
５８．プログラムは、スマートウェアラブル装置が非ウェアラブル装置との通信範囲外に存在する時にユーザに通知するようにさらに構成され、通知は、スマートウェアラブル装置の出力装置を通じて行われる、前出のいずれかの実施形態に記載のシステム。
【０１３４】
５９．プログラムは、認証されたユーザのサービスへのアクセス権が検証された時にユーザに通知するようにさらに構成され、通知は、スマートウェアラブル装置の出力装置を通じて行われる、前出のいずれかの実施形態に記載のシステム。
【０１３５】
６０．サービスへのアクセス権は、スマートウェアラブル装置内のトークンの形でユーザに提供され、トークンは、現在のアクセス権又はアクセス権の満了を示す、前出のいずれかの実施形態に記載のシステム。
【０１３６】
上記の説明は多くの詳細を含んでいるが、これらは本技術の範囲を限定するものではなく、本技術の現在のところ好ましい実施形態の一部を例示するものにすぎないと解釈すべきである。従って、本技術の範囲は、当業者に明らかになると思われる他の実施形態も完全に含み、従って添付の特許請求の範囲以外のいかなるものによっても本技術の範囲を限定すべきではなく、特許請求の範囲では、単数形による要素への言及は、明述しない限り「唯一」を意味するものではなく、「１又は２以上」を意味するものであると理解されたい。当業者には周知の上述した好ましい実施形態の要素の構造的、化学的及び機能的同等物も、引用によって本明細書に明確に組み入れられ、本特許請求の範囲に含まれることが意図されている。さらに、本技術が解決しようとする課題が本特許請求の範囲に含まれるようにするために、装置及び方法がこれらのありとあらゆる課題に対処する必要はない。さらに、本開示の要素、構成要素又は方法ステップは、これらが特許請求の範囲に明示されているかどうかにかかわらず、一般に公開されることを意図するものではない。本明細書における請求項の要素については、この要素が「〜のための手段」又は「のためのステップ」という表現を使用して明確に示されていない限り、米国特許法１１２条の規定によって解釈すべきではない。
【符号の説明】
【０１３７】
１０４−１  スマートウェアラブル装置
６００  概略図
６０２  認証
６０４  ユーザ
６０６  一定範囲
６０８  非ウェアラブル装置
６１０  非ウェアラブル装置
６１２  アクセス
６１４  ウェアラブル装置
６１８  非ウェアラブル装置（車）
【図１】
0006582285.tif 000002
【図２】
0006582285.tif 000003
【図３】
0006582285.tif 000004
【図４】
0006582285.tif 000005
【図５】
0006582285.tif 000006
【図６】
0006582285.tif 000007
【図７】
0006582285.tif 000008
【図８】
0006582285.tif 000009
【図９】
0006582285.tif 000010